(57)【要約】【課題】風水の知識がなくても診断結果を簡単に得られるばかりでなく、風水に対して興味のあまりなかった人をも含めて複数人で診断結果を共有し得る風水診断システムを提供する。【解決手段】携帯電話機１０は、複数人についての風水の診断に必要な所定情報及びその所定情報に該当する人の識別情報の入力を行う。Ｗｅｂサーバ４０は、携帯電話機１０による入力内容を登録するとともに、相性に関する複数の要素と点数とを対応付けて記憶した各種テーブルを用いて、前記所定情報に基づいて前記要素ごとに点数をそれぞれ読み出す。そして、該読み出した点数によって相性を評価するとともに、その評価結果である点数が降順又は昇順となるように、人の識別情報を整列させる。携帯電話機１０は、前記整列された結果を所定の表示手段にランキング表示させる。【選択図】      図１
2011115282.tif 000002
【特許請求の範囲】
【請求項１】
複数人についての風水の診断に必要な所定情報及びその所定情報に該当する人の識別情報の入力を行う情報入力手段と、
前記情報入力手段による入力内容を登録する情報登録手段と、
前記所定情報から風水によって得られる相性に関する複数の要素をそれぞれ点数化し、各要素と点数とを対応付けて記憶している点数記憶手段と、
前記情報登録手段によって登録された前記所定情報に基づいて、前記要素ごとに前記点数記憶手段に記憶された点数をそれぞれ読み出し、該読み出した点数によって相性を評価する風水評価手段と、
前記風水評価手段による評価結果である点数が降順又は昇順となるように、人の識別情報を整列させる整列処理手段と、
前記整列処理手段によって整列された結果を所定の表示手段にランキング表示させる表示制御手段と、
を備えていることを特徴とする風水診断システム。
【請求項２】
前記評価手段は、診断対象となる人の二名ずつの組み合わせの一方から見た他方について前記点数を読み出すとともに、その他方から見た一方についても前記点数を読み出し、それらの各点数により相性を評価することを特徴とする請求項１に記載の風水診断システム。
【請求項３】
前記要素の種別による優先順位を記憶している優先順位記憶手段を更に備え、
前記整列処理手段は、前記優先順位記憶手段に記憶されている優先順位に従って、前記点数が同点である場合の整列順位を決定することを特徴とする請求項１又は２に記載の風水診断システム。
【請求項４】
前記各手段のうち前記情報入力手段及び前記表示手段以外の機能は、サーバに備えられたプログラムの処理機能によって実現されるものであり、
前記情報入力手段及び前記表示手段は、通信ネットワークを介して前記サーバとの間で送受信を行う携帯端末に備えられたものであることを特徴とする請求項１乃至３のいずれか一つに記載の風水診断システム。
【発明の詳細な説明】
【技術分野】
【０００１】
本発明は、風水による診断結果を得ることのできる風水診断システムに関する。
【背景技術】
【０００２】
従来、風水による診断結果を携帯電話機等の携帯端末によって知ることのできる技術が提案されている（例えば、特許文献１参照）。この技術によれば、風水の知識がなくても携帯端末を通じて簡単に診断結果を得ることができる。
【先行技術文献】
【特許文献】
【０００３】
【特許文献１】特開２００３−１５２８２８号公報
【発明の概要】
【発明が解決しようとする課題】
【０００４】
しかしながら、上記従来の技術では、手軽に風水の診断結果を得ることができるに止まり、風水についてもともと深い興味をもっている者だけが利用する程度であると考えられる。
【０００５】
そこで、本発明は、風水の知識がなくても診断結果を簡単に得られるばかりでなく、風水に対して興味のあまりなかった人をも含めて複数人で診断結果を共有し得る風水診断システムを提供することを目的とする。
【課題を解決するための手段】
【０００６】
上記課題を解決すべく、本発明の風水診断システムは、
複数人についての風水の診断に必要な所定情報及びその所定情報に該当する人の識別情報の入力を行う情報入力手段と、
前記情報入力手段による入力内容を登録する情報登録手段と、
前記所定情報から風水によって得られる相性に関する複数の要素をそれぞれ点数化し、各要素と点数とを対応付けて記憶している点数記憶手段と、
前記情報登録手段によって登録された前記所定情報に基づいて、前記要素ごとに前記点数記憶手段に記憶された点数をそれぞれ読み出し、該読み出した点数によって相性を評価する風水評価手段と、
前記風水評価手段による評価結果である点数が降順又は昇順となるように、人の識別情報を整列させる整列処理手段と、
前記整列処理手段によって整列された結果を所定の表示手段にランキング表示させる表示制御手段と、
を備えていることを特徴とする。
【０００７】
この風水診断システムによれば、情報入力手段によって複数人についての風水の診断に必要な所定情報とその所定情報に該当する人の識別情報との入力を行うと、情報登録手段はそれら各情報を登録する。所定情報としては例えば生年月日が挙げられ、人の識別情報としては画数を診断に用いる場合には本名である必要があるが、画数を用いない場合には他人との識別さえできればよい。風水によって相性を診断するに際して、例えば生年月日であれば、年月日そのものと年と月と日とに要素を分断することができ、これを風水の考えに対応付けて点数化した状態で、点数記憶手段に記憶されている。
【０００８】
そして、風水評価手段は、情報登録手段によって登録された所定情報に基づいて、要素ごとに点数記憶手段に記憶された点数をそれぞれ読み出し、該読み出した点数によって相性を評価する。このように要素ごとに点数化して相性の評価処理を行うものであるため、相性診断のための処理が非常に簡単なものとなる。このように評価された結果は、整列処理手段によって点数の降順又は昇順に整列され、表示制御手段の制御下、その整列結果が表示手段にランキング表示されることとなる。
【０００９】
したがって、生年月日等の情報に加え個人を識別できる情報さえ入力すれば、風水による相性診断の結果が簡単に得られるし、複数人の中で相性の良し悪しについてのランキングを知ることができる。これにより、大勢の人が集まる中で相性ランキングを知ることができる、すなわち複数人で診断結果を共有し得ることから、単なる風水による相性診断の域を超えて複数人が参加できるゲーム性を付与することができる。その結果、１人の閉じた環境の中での風水診断とは異質の面白みを付与することができ、風水の魅力を広く伝達することができたり、複数人で円滑なコミュニケーションを図ったりすることが可能となる。
【００１０】
上記風水診断システムにおいて、前記評価手段は、診断対象となる人の二名ずつの組み合わせの一方から見た他方について前記点数を読み出すとともに、その他方から見た一方についても前記点数を読み出し、それらの各点数により相性を評価するとよい。これにより、単に二名ずつの組み合わせ（ペア）について相性の点数を付けるだけでなく、当該組み合わせのどちら側にとって相性がより良いのか（例えば、どちらが良い運気をもたらしてくれるのか）を知り得ることができ、相性診断の面白みを一層高めることができる。
【００１１】
また、前記要素の種別による優先順位を記憶している優先順位記憶手段を更に備え、前記整列処理手段は、前記優先順位記憶手段に記憶されている優先順位に従って、前記点数が同点である場合の整列順位を決定するものであるとよい。
【００１２】
こうすることで、点数が同一である場合においても、整列順位に意味付けすることが可能となり、ランキング表示を適切に行うことができる。特に、恋愛の相性であれば、風水の診断要素である、生年月日の「年」に対応する九星（ライフスター）の優先順位を最も高くし、次に生年月日の「月」に対応する九星（パーソナルスター）の優先順位を高くするという具合に優先順位を設定する一方、理想の上司や部下等のビジネスパートナーの相性であれば、生年月日の「年」に対応する九星（ライフスター）の優先順位を最も高くし、次に生年月日の「日」に対応する九星（ソーシャルスター）の優先順位を高くするという具合に優先順位を設定するとよく、こうして診断しようとする相性の種別に応じて優先順位を異ならせてあると、ランキング表示に適切な意味付けをすることができる。
【００１３】
上記風水診断システムにおいては、前記各手段のうち前記情報入力手段及び前記表示手段以外の機能は、サーバに備えられたプログラムの処理機能によって実現されるものであり、前記情報入力手段及び前記表示手段は、通信ネットワークを介して前記サーバとの間で送受信を行う携帯端末に備えられたものにするとよい。
【００１４】
複数人で診断結果を共有しようとする場合、携帯電話機等の携帯端末を用いたシステムが好ましい。そして、インターネット等の通信ネットワークを介して各自の携帯端末でアクセスしながら各自と周りの人との相性診断をすることで、人が集まったときに簡単に相性診断をすることができる。この場合、例えば、各自の携帯端末では自分からみた他人との相性を知ることができるようにしておけば、他人の携帯端末の結果を見せてもらうことによって、色々な診断結果を知ることができるようになる。
【図面の簡単な説明】
【００１５】
【図１】実施形態における通信システムの概要を示すブロック図。
【図２】（ａ）は五行相性の関係を示す図、（ｂ）は五行相剋の関係を示す図。
【図３】（ａ）は五行の各要素の組み合わせを示す図、（ｂ）は五行相性点テーブルを示す図。
【図４】天中殺相性点テーブルを示す図。
【図５】携帯電話機の表示部における表示画像を示す図。
【図６】相性診断プログラムに関する処理手順を示すフローチャート。
【図７】（ａ）は五行の各要素の組み合わせを示す図、（ｂ）は五行相性点テーブルを示す図。
【発明を実施するための形態】
【００１６】
［第１の実施形態］
以下、本発明を具体化した第１の実施形態を図面に基づいて説明する。本実施形態では、携帯端末（移動体通信端末）としての携帯電話機により、インターネット等を介してアクセス可能なＷｅｂサイトを利用できるものとなっている。
【００１７】
図１は、本実施形態における通信システムの概要を示すブロック図である。図１において、携帯電話機１０は、通信ネットワークとしての携帯電話通信網２０を介して他の携帯電話機との通話や電子メールの送受信が可能になっている。また、携帯電話通信網２０にはインターネット３０等の他の通信ネットワークが接続されている。インターネット３０には、各種のＷｅｂコンテンツを提供するＷｅｂサーバ４０が接続されている。
【００１８】
携帯電話機１０は、ＣＰＵ１１、記憶部１２、通信部１３、入力部１４、表示部１５等を備えており、これらが図示しない通信バスにより互いに接続されている。ＣＰＵ１１は、携帯電話機１０における各種制御を司る制御中枢部であり、通信や表示等に関する制御を実行する。記憶部１２は、ＲＯＭやＲＡＭよりなるメモリであり、ＲＯＭにはＣＰＵ１１が実行する各種アプリケーションのプログラム等が記憶されており、ＲＡＭには作業領域等が設けられている。通信部１３は、携帯電話通信網２０に対する無線通信を可能とする無線通信機能を有している。入力部１４は、テンキーやメニュー操作キー等からなる各種入力キーを有しており、この入力部１４を用いてユーザの入力操作が行われる。表示部１５は、液晶ディスプレイ等からなる表示画面を有しており、通話時やメール利用時、アプリケーション実行時等においてこれらに関する各種情報が表示される。
【００１９】
また、Ｗｅｂサーバ４０は、ＣＰＵ４１、記憶部４２、通信部４３、入力部４４、表示部４５等を備えており、これらが図示しない通信バスにより互いに接続されている。ＣＰＵ４１は、Ｗｅｂサーバ４０における各種制御を司る制御中枢部であり、通信や表示等に関する制御を実行する。記憶部４２は、ＲＯＭやＲＡＭよりなるメモリであり、ＲＯＭにはＣＰＵ４１が実行する各種アプリケーションのプログラム等が記憶されており、ＲＡＭには作業領域等が設けられている。特に、記憶部４２には、Ｗｅｂサーバ４０が運営するＷｅｂサイトに関する各種情報が記憶されており、サイト利用者の住所、氏名、連絡先等の会員登録情報が記憶されている。通信部４３は、インターネット３０に接続されたネットワーク通信インターフェースを備えている。入力部４４は、サーバ管理者が入力操作を行うための操作キー等を有しており、表示部４５は、液晶ディスプレイ等からなる表示装置を有している。
【００２０】
上記構成の通信システムにおいて、携帯電話機１０は、携帯電話通信網２０とインターネット３０とを介してＷｅｂサーバ４０に対してアクセスが可能であり、携帯電話機１０からの要求に応じて、Ｗｅｂサーバ４０から携帯電話機１０に対してＷｅｂサイトデータが提供されるようになっている。かかる場合、Ｗｅｂサーバ４０のＣＰＵ４１は、携帯電話機１０からのアクセス要求に応じてＷｅｂサイトメニュー画像を携帯電話機１０の表示部１５に表示させるとともに、携帯電話機１０からの登録要求やデータ取得要求に応じて登録画面画像やサイト内のコンテンツ画像等を適宜表示させるようになっている。
【００２１】
次に、Ｗｅｂサーバ４０により管理運営されるＷｅｂサイトの１つである、風水診断サイトについて説明する。この風水診断サイトは、風水学を利用して診断対象となるユーザの恋愛相性度を評価するものであり、利用を希望するユーザが会員登録することで利用可能となるＷｅｂサイトとなっている。利用可能になった後は、生年月日情報等の基本情報をユーザが入力することで、風水の知識がなくても手軽に恋愛相性度の診断結果を得られるものとなっている。
【００２２】
また、複数の組み合わせ（ペア）について同時に恋愛相性度を評価するようにしており、いずれのペアの相性が良好であるかを一目分かるようにすべく、ベストカップルランキングを決定して携帯電話機１０の表示部１５に表示させるようにしている。この場合、例えば数十人を対象として一度に、換言すれば一回の携帯電話機１０の入力操作により、ベストカップルランキングの決定及び表示を行わせることができるものとなっている。以下、恋愛相性度の評価に関する相性診断ロジックの詳細について説明する。
【００２３】
（１）生年月日情報等の登録
まずは、ユーザが携帯電話機１０の入力部１４を操作し、相性診断の参加者について各々の名前と生年月日情報とを入力する。入力された名前と生年月日情報は、携帯電話機１０からＷｅｂサーバ４０に送信され、当該Ｗｅｂサーバ４０の記憶部４２に書き込まれて登録される。なお、参加者の名前として入力される情報は、当該参加者を識別可能な情報であればよく、本名である氏名である以外にニックネーム等であってもよい。
【００２４】
（２）診断対象者の設定
上記（１）により生年月日情報が登録された相性診断の参加者のうち、いずれを今回の診断対象にするかを設定する。つまり、相性診断を行う都度、診断の対象を変更することができるようになっており、あらかじめ定めた所定人数を上限として、ユーザによる携帯電話機１０の入力部１４の操作に応じて複数の診断対象者が決定される。このとき、上記（１）で登録されている参加者の人数が、一回の診断処理で診断可能な上限人数を超えていたとしても、本設定により、診断対象者の人数が上限以内に絞り込まれる。診断対象者に関する入力情報は、携帯電話機１０からＷｅｂサーバ４０に送信され、Ｗｅｂサーバ４０において今回の診断対象者の設定が行われる。
【００２５】
（３）五行データの算出
Ｗｅｂサーバ４０において、診断対象者の生年月日情報に基づいて、当該診断対象者の九星が、一白水星、二黒土星、三碧木星、四緑木星、五黄土星、六白金星、七赤金星、八白土星、九紫火星のいずれに該当するかを算出する。このとき、九星の振分を定めた九星振分テーブルを用いて診断対象者の九星を算出する。九星振分テーブルは、年、月、日についてそれぞれ設けられており、Ｗｅｂサーバ４０の記憶部４２には、年用、月用、日用の各九星振分テーブルが記憶されている。
【００２６】
また、九星振分テーブルにより算出された年、月、日の各九星データを、陰陽五行説に基づく「木」、「火」、「土」、「金」、「水」の５つの要素に分類する。このとき、「三碧木星、四緑木星」は「木」、「九紫火星」は「火」、「二黒土星、五黄土星、八白土星」は「土」、「六白金星、七赤金星」は「金」、「一白水星」は「水」という分類が行われる。以上により、診断対象者について年、月、日の五行データが算出される。
【００２７】
こうした五行データの算出は、上記（２）で設定された診断対象者の全員について行われる。なお、年、月、日の九星は、相性に関する複数の要素に相当し、年に対応する九星は「ライフスター」、月に対応する九星は「パーソナルスター」、日に対応する九星は「ソーシャルスター」として位置付けられている。
【００２８】
（４）五行相性点の算出
次に、上記（２）で設定された診断対象者のうち二名ずつの全ての組み合わせについて、上記（３）で算出した五行データと、五行の相生・相剋に基づいて定められた相互関係とに基づいて相性点を算出する。
【００２９】
ここで、五行の相生・相剋について簡単に説明する。五行の相生・相剋は、五行それぞれの要素が互いに影響を与え合うという考えに基づくものであり、木は火を、火は土を、土は金を、金は水を、水は木を生じるという関係が「相生」、木は土に、土は水に、水は火に、火は金に、金は木に勝つ（剋つ）という関係が「相剋」である。五行の相生の関係を図２（ａ）に示し、五行の相剋の関係を図２（ｂ）に示す。
【００３０】
本実施形態では、五行の相生・相剋に基づいて、五行の各要素のうち全ての２つずつの組み合わせについて相性の重み付けを行っておき、例えばＡさん、Ｂさんの二名についてＡさんから見たＢさんの相性点、逆にＢさんから見たＡさんの相性点をそれぞれ算出する。このとき、基本的には五行相生の関係にある二者が最も相性が良く、当該関係にある二者について相生関係とは逆向きの関係が、相生関係に次いで相性が良い関係になっている。また、五行相剋の関係にある二者が、相生関係とは逆向きの関係にある二者に次いで相性が悪く、当該関係にある二者について相剋関係とは逆向きの関係が、最も相性が悪い関係になっている。
【００３１】
具体的には、図３（ａ）に示すような関係になっており、同図では、五行の各要素について２つずつの組み合わせを４種類の矢印で結んで示している。この場合、白頭実線の矢印Ｙ１で結ぶ二者が五行相生の関係にある二者であり、黒頭実線の矢印Ｙ３で結ぶ二者が五行相剋の関係にある二者である。４種類の矢印について述べると、基本的には、白頭実線の矢印Ｙ１→白頭破線の矢印Ｙ２→黒頭実線の矢印Ｙ３→黒頭破線の矢印Ｙ４の順に、相性が悪くなる関係が規定されている。
【００３２】
図３（ｂ）には、五行の各要素の２つずつの組み合わせについて相性の重み付けにより点数化された相性点（以下、「五行相性点」という）が示されており、この相性点情報は、五行相性点テーブルとしてＷｅｂサーバ４０の記憶部４２にあらかじめ記憶されている。図３（ｂ）では、相性が良いほど高点となるように五行相性点が定められており、これは上述した４種類の関係に基づくものである。なお、必ずしも４種類の関係全てに五行相性点の差を付けなくてもよく、例えば、日の五行データでは、Ｙ３，Ｙ４に相当する関係において五行相性点が同点（いずれも０点）になっている。
【００３３】
また、年、月、日の各五行データを比較すると、総じて年の五行データ→月の五行データ→日の五行データの順に、五行相性点が低くなる関係が規定されている。ただし本実施形態では、Ｙ３について年、月の五行相性点が同点、Ｙ４について年、月、日の各五行相性点が同点になっている。
【００３４】
また、相性診断する二名の五行データが同一になることも考えられる。ゆえに、五行データが同一になった場合の五行相性点も定められている。
【００３５】
なお、五行相性点の点数は任意に設定でき、重み付けの差を小さくしたり、大きくしたりする等の変更も可能である。
【００３６】
こうした五行相性点の算出を、診断対象者の二名ずつの全ての組み合わせ（ペア）について年、月、日の各五行データを算出することで実施する。
【００３７】
（５）天中殺相性点の算出
次に、診断対象者の生年月日情報に含まれる十二支情報に基づいて、診断対象者の天中殺の時期を算出するとともに、その天中殺の時期に基づく相性点（以下、「天中殺相性点」という）の算出を実施する。詳しくは、天中殺の時期は、「戌亥」、「申酉」、「午未」、「辰巳」、「寅卯」、「子丑」の６つあり、相性診断する二名について天中殺の時期の組み合わせに基づいて天中殺相性点を算出する。このとき、例えばＡさん、Ｂさんの二名についてＡさんから見たＢさんの天中殺相性点、逆にＢさんから見たＡさんの天中殺相性点をそれぞれ算出する。
【００３８】
図４には、天中殺の時期による天中殺相性点を定めた天中殺相性点テーブルを示しており、同図において縦軸は相性診断の当人についての天中殺の時期、横軸は相性診断の相手についての天中殺の時期を示す。この天中殺相性点テーブルはＷｅｂサーバ４０の記憶部４２にあらかじめ記憶されている。例えば、Ａさんから見たＢさんの天中殺相性点を算出する場合に、Ａさんの天中殺が「午未」、Ｂさんの天中殺が「辰巳」であれば、天中殺相性点＝３点となる。また、Ａさんの天中殺が「午未」、Ｂさんの天中殺が「寅卯」であれば、天中殺相性点＝１点となる。
【００３９】
（６）相性評価点の算出
次に、相性診断する全てのペアについて二名ずつの相性評価点を算出する。このとき先ずは、相性診断する二名ずつのペアにおいて一方から他方（例えばＡさん→Ｂさん）の相性合計点と、その他方から一方（例えばＢさん→Ａさん）への相性合計点とを算出する。つまり、各ペアの相性方向ごとに、上記（４）で説明した相性点、すなわち各診断対象者における年、月、日の各五行データに関する五行相性点と、上記（５）で説明した相性点、すなわち各診断対象者における天中殺の時期に関する天中殺相性点との加算により相性合計点を算出する。そして、ペアごとに、各々逆となる二方向の相性合計点を加算することにより相性評価点を算出する。
【００４０】
例えばＡさん、Ｂさんの二名について言えば、Ａさんから見たＢさんの相性点の合計（相性合計点）と、逆にＢさんから見たＡさんの相性点の合計（相性合計点）とを加算して相性評価点を算出する。
【００４１】
具体的数値で例示する。Ａさんについて、
年の五行データ（ライフスター）が五黄土星、
月の五行データ（パーソナルスター）が七赤金星、
日の五行データ（ソーシャルスター）が八白土星、
天中殺の時期が午未であり、
Ｂさんについて、
年の五行データ（ライフスター）が九紫火星、
月の五行データ（パーソナルスター）が五黄土星、
日の五行データ（ソーシャルスター）が九紫火星、
天中殺の時期が午未である場合を想定する。
【００４２】
かかる場合、Ａさんから見たＢさんの年、月、日の五行相性点は４点、３点、２点であり、天中殺相性点は３点であり、その和（Ａさんから見たＢさんの相性合計点）は１２点である。また逆に、Ｂさんから見たＡさんの年、月、日の五行相性点は３点、２点、１点であり、天中殺相性点は３点であり、その和（Ｂさんから見たＡさんの相性合計点）は９点である。したがって、Ａさん＆Ｂさんのペアの相性評価点は、１２＋９＝２１点となる。
【００４３】
そして、全診断対象者のうち二名ずつの全てのペアについて各々に相性評価点を算出する。
【００４４】
（７）相性ランキングの決定
次に、全診断対象者のうち二名ずつの全てのペアについて算出した相性評価点に基づいて、相性ランキングとしてのベストカップルランキングを決定する。このとき、基本的には相性評価点が高いものから順に上位にして、各診断対象者のペアの識別情報（本実施形態では名前）を整列させることでランキングデータを生成する。
【００４５】
ここで、複数のペアで相性評価点が同点になることがあると考えられる。これを考慮して、相性診断に関わる要素の種別による優先順位を記憶しておき、その優先順位に従って、点数が同点である場合の整列順位を決定するとよい。Ｗｅｂサーバ４０の記憶部４２が優先順位記憶手段に相当する。相性評価点が同点となったペアがあった場合には、年の五行相性点（ライフスターによる相性点）、月の五行相性点（パーソナルスターによる相性点）、日の五行相性点（ソーシャルスターによる相性点）の少なくともいずれかの点数による優位付けを行う。詳しくは、第１に、年の五行相性点（ライフスターによる相性点）について高低を判定して優劣を付け、年の五行相性点が同点であれば、第２に、月の五行相性点（パーソナルスターによる相性点）について高低を判定して優劣を付ける。つまり、ライフスターの優先順位を最も高くし、次にパーソナルスターの優先順位を高くする。以下同様に、日の五行相性点、天中殺相性点による優位付けを実施する。ただし、この優先順位は変更が可能である。
【００４６】
（８）相性ランキングの表示
次に、Ｗｅｂサーバ４０から携帯電話機１０に対して、上記（７）で決定したランキングデータを送信して、同携帯電話機１０の表示部１５に相性ランキングを表示させる。この場合、ランキング上位（例えば上位１位〜５位）となる所定組数のペアの名前を表示させる。その他、ランキング下位となるペアの名前を表示させる構成であってもよい。
【００４７】
上記一連の相性診断処理が行われる場合の、携帯電話機１０の表示部１５における表示画像について説明しておく。図５（ａ）は、相性診断の参加者に関する登録画面であり、情報入力欄として「お名前」の入力欄と、「生年月日」の入力欄が設けられている。また、「登録」ボタンが表示されており、ユーザが名前と生年月日とを入力した後に「登録」をクリックすることで、これらの入力情報が携帯電話機１０からＷｅｂサーバ４０に送信される。
【００４８】
また、図５（ｂ）は、「ベストカップル診断」のＷｅｂサイト画面であり、同画面にて今回の診断対象者が選択される。つまり、診断対象者（占いたいお友達）を登録者全員とする「全員」ボタンと、診断対象者（占いたいお友達）を登録者のうちから選択する「選択」ボタンとが表示されており、これらいずれかによる診断対象者の選択入力をした後に、「占う」をクリックすることで、入力情報のＷｅｂサーバ４０への送信が行われ、Ｗｅｂサーバ４０において恋愛診断が開始される。
【００４９】
図５（ｃ）は、Ｗｅｂサーバ４０の恋愛診断処理により得られた診断結果（ベストカップルランキング）を表示するランキング表示画面であり、ベストカップル（相性第１位）になったペアの名前が表示されるとともに、その他のランキング上位者（第２位〜第５位）のペアの名前が表示される。なおこのとき、ワーストカップルのペアの名前を表示することも可能である。
【００５０】
次に、Ｗｅｂサーバ４０のＣＰＵ４１により実行される相性診断プログラムに関する処理手順を図６のフローチャートを用いて説明する。この処理は、診断対象者が設定された後に携帯電話機１０の入力操作により診断開始が要求され、その診断開始要求をＷｅｂサーバ４０が受け付けたことをトリガとして起動されるものとなっている。
【００５１】
まずステップＳ１１では、今回の診断対象者となった人の生年月日情報（所定情報に相当）と名前情報（人の識別情報に相当）を記憶部４２から読み出す。次に、ステップＳ１２では、各診断対象者について年、月、日の五行データを算出し、続くステップＳ１３では、各診断対象者について各二名ずつの組み合わせにおける年、月、日の五行相性点を算出する。このとき、記憶部４２に記憶されている五行相性点テーブル（図３（ｂ）参照）を用い、各診断対象者の五行データに基づいて年、月、日の五行相性点を算出する。
【００５２】
次に、ステップＳ１４では、各診断対象者について各二名ずつの組み合わせにおける天中殺相性点を算出する。このとき、記憶部４２に記憶されている天中殺相性点テーブル（図４参照）を用い、各診断対象者の天中殺の時期に基づいて天中殺相性点を算出する。なお、ステップＳ１２〜Ｓ１４の各処理は、全ての組み合わせ（ペア）についての算出が完了するまで繰り返される。
【００５３】
次に、ステップＳ１５では、相性診断する各ペアについて五行相性点と天中殺相性点とを加算することで、各ペアの相性評価点を算出する。そして、ステップＳ１６では、各ペアの相性評価点が所定順序（本実施形態では最上位から降順）となるように、各ペアの名前を整列させて相性ランキングデータを生成する。
【００５４】
最後に、ステップＳ１７では、相性ランキングデータを携帯電話機１０に対して送信し、携帯電話機１０の表示部１５に相性ランキングを表示させる。このとき、ランキング上位（例えば上位１位〜５位）となる所定組数のペアの名前を表示させる。
【００５５】
なお、ステップＳ１６，Ｓ１７において、各ペアの相性評価点が最下位から昇順となるように、各ペアの名前を整列させて相性ランキングデータを生成するとともに、ランキング下位となるペアの名前を表示させる構成であってもよい。
【００５６】
以上詳述した本実施形態によれば、以下の優れた効果が得られる。
【００５７】
複数の診断対象者の生年月日情報に基づいて、五行の関係等に基づく要素ごとに各種テーブルに記憶された点数（相性点）をそれぞれ読み出し、該読み出した点数によって相性を評価する構成とした。このように要素ごとに点数化して相性の評価処理を行うものであるため、相性診断のための処理が非常に簡単なものとなる。
【００５８】
また、このように評価された結果を、所定順序（点数の降順又は昇順）に整列した後、携帯電話機１０の表示部１５にてランキング表示させる構成とした。したがって、生年月日等の情報に加え個人を識別できる情報さえ入力すれば、風水による相性診断の結果が簡単に得られるし、複数人の中で相性の良し悪しについてのランキングを知ることができる。これにより、大勢の人が集まる中で相性ランキングを知ることができる、すなわち複数人で診断結果を共有し得ることから、単なる風水による相性診断の域を超えて複数人が参加できるゲーム性を付与することができる。その結果、１人の閉じた環境の中での風水診断とは異質の面白みを付与することができ、風水の魅力を広く伝達することができたり、複数人で円滑なコミュニケーションを図ったりすることが可能となる。
【００５９】
診断要素として、生年月日情報の「年」、「月」、「日」についての五行の要素と、天中殺の要素とを用いたため、診断結果の多様化を図ることができる。この場合、要素を増やしたとしても、風水に関する知識等がユーザに求められるものではなく、簡易性を保ちつつ当該サイト利用に伴う興趣性の向上を図ることができる。
【００６０】
また、生年月日情報の「年」、「月」、「日」について、五行相性点として点数化する上で重み付けを各々異なるものにしたため、風水学に基づく適正な相性診断を実施できる。
【００６１】
診断対象となる人の二名ずつの組み合わせの一方から見た他方について点数（相性点）を読み出すとともに、その他方から見た一方についても点数（相性点）を読み出し、それらの各点数の加算結果により相性を評価する構成とした。これにより、単に二名ずつの組み合わせ（ペア）について相性の点数を付けるだけでなく、当該組み合わせのどちら側にとって相性がより良いのか（どちらが良い運気をもたらしてくれるのか）等を知り得ることができ、相性診断の面白みを一層高めることができる。
【００６２】
また、複数のペアで相性評価点が同点になる場合に、あらかじめ定めた優先順位に従って整列順位を決定する構成とした。こうすることで、点数が同一である場合においても、整列順位に意味付けすることが可能となり、ランキング表示を適切に行うことができる。特に、恋愛の相性において、生年月日の「年」に対応する九星（ライフスター）の優先順位を最も高くし、次に生年月日の「月」に対応する九星（パーソナルスター）の優先順位を高くするという具合に優先順位を設定することで、ランキング表示に適切な意味付けをすることができる。
【００６３】
携帯電話機１０に情報入力機能と表示機能とを持たせ、それ以外の機能（相性診断に関するそれ以外の機能）を、Ｗｅｂサーバ４０に備えられたプログラムの処理機能によって実現するものとした。つまり、情報入力機能及び表示機能を、通信ネットワークを介してＷｅｂサーバ４０との間で送受信を行う携帯電話機１０が備える構成とした。この場合、インターネット等の通信ネットワークを介して各自の携帯電話機１０でアクセスしながら各自と周りの人との相性診断をすることで、人が集まったときに簡単に相性診断をすることができる。
【００６４】
［第２の実施形態］
次に、本発明の第２の実施形態について第１の実施形態との相違点を中心に説明する。第１の実施形態では、風水診断として恋愛相性度を評価したが、本実施形態では、風水診断として仕事相手としての相性度（以下、「ビジネスパートナー相性度」という）を評価する。これは、各自にとって理想の上司や部下が誰であるかといったビジネスパートナーの相性を占うものである。ビジネスパートナー相性度を評価する場合、評価指標として用いる要素が恋愛相性診断とは異なっており、評価指標として新たに氏名の総画数が用いられる。本実施形態では、診断対象者の生年月日情報の「年」の九星と、「日」の九星と、氏名の総画数と、天中殺の時期とを、評価指標として用いる構成としている。なお本実施形態では、氏名の総画数が相性診断の要素に含まれることから、携帯電話機１０による情報入力に際し、人の識別情報として診断対象者の本名である氏名が入力される。
【００６５】
五行データ、五行相性点の算出に際しては、Ｗｅｂサーバ４０のＣＰＵ４１は、各診断対象者について、生年月日の年＆日に対応する九星から年＆日の各五行データを算出するとともに、氏名の総画数に対応する九星から総画数の五行データを算出する。そして、診断対象者のうち二名ずつの組み合わせについて、五行データに基づいて五行相性点を算出する。
【００６６】
図７において（ａ）には五行の相互の関係を示すとともに、（ｂ）には本実施形態における五行相性点テーブルを示している。なお、（ａ）は上述した図３（ａ）と同様のものであり、（ｂ）は上述した図３（ｂ）の一部を変更したものである。図７（ｂ）の五行相性点テーブルはＷｅｂサーバ４０の記憶部４２にあらかじめ記憶されており、図３（ｂ）との相違点として、「月」の五行データに対応する五行相性点を削除し、その代わりに「画数」の五行データに対応する五行相性点が追加規定されている。図７（ｂ）では、相性が良いほど高点となるように五行相性点が定められている。
【００６７】
また、天中殺相性点の算出については第１の実施形態と同様であり、ここでは説明を省略する。
【００６８】
相性評価点の算出については、相性診断する二名ずつの組み合わせにおいて一方から他方（例えばＡさん→Ｂさん）を見た相性合計点と、その他方から一方（例えばＢさん→Ａさん）を見た相性合計点とをそれぞれ算出する（これは第１の実施形態と同様）。また、第１の実施形態との違いとして、上記２つの相性合計点をそのまま各々「相性評価点」としている。この場合、Ａさん＆Ｂさんの関係で言えば、Ａさんから見たＢさんの相性合計点は、Ａさんが相手側のＢさんから与えられる運気の点数であり、Ｂさんから見たＡさんの相性合計点は、Ｂさんが相手側のＡさんから与えられる運気の点数である。この場合、二人の相互の相性評価点（Ａさんから見たＢさんの相性評価点、及びＢさんから見たＡさんの相性評価点）の比較から、二人のうちどちらが上司に向いており、どちらが部下に向いているかを判断できるものとなっている。
【００６９】
具体的には、上司と部下との関係では、部下にとってはより多くの運気を与えてくれる人が上司として望ましく、上司にとってはより多くの運気を吸収できる人が部下として望ましいと考えられる。そこで、相性評価点が大きい人（相手側から与えられる運気が大きい人）を「部下」として評価し、相性評価点が小さい人（相手側に与える運気が大きい方）を「上司」として評価する。例えば、Ａさんから見たＢさんの相性評価点が「１２点」で、Ｂさんから見たＡさんの相性評価点が「９点」である場合、Ａさん＆Ｂさんの関係で言えば、Ａさんが「部下」、Ｂさんが「上司」となる関係が望ましいと言える。なおこのとき、全診断対象者のうち二名ずつの全ての組み合わせについて各々に、上司としての相性評価点、及び部下としての相性評価点を算出する。
【００７０】
相性ランキングの決定及び表示については、基本的には第１の実施形態と同様である。この場合、全診断対象者のうち二名ずつの全ての組み合わせについて算出した相性評価点に基づいて、相性ランキングとしてのベストビジネスパートナーランキングを決定する。このとき、基本的には相性評価点が高いものから順に上位にして、各診断対象者の組み合わせの識別情報（本実施形態では氏名）を整列させることでランキングデータを生成する。ただし、上司としてのパートナーランキングと、部下としてのパートナーランキングとを各々に順位付けするとよい。そして、そのランキングデータをＷｅｂサーバ４０から携帯電話機１０に対して送信し、同携帯電話機１０の表示部１５にベストビジネスパートナーランキングを表示させる。
【００７１】
なお、複数の組み合わせで相性評価点が同点になる場合には、第１に、年の五行相性点（ライフスターによる相性点）について高低を判定して優劣を付け、年の五行相性点が同点であれば、第２に、日の五行相性点（ソーシャルスターによる相性点）について高低を判定して優劣を付ける。つまり、ライフスターの優先順位を最も高くし、次にソーシャルスターの優先順位を高くする。その次の優先順位は画数である。ただし、この優先順位は変更が可能である。
【００７２】
以上第２の実施形態によれば、第１の実施形態と同様に、やはり風水の魅力を広く伝達することができたり、複数人で円滑なコミュニケーションを図ったりすることが可能となる。
【００７３】
［他の実施形態］
本発明は上記実施形態の記載内容に限定されず、例えば次のように実施されてもよい。
【００７４】
・第１の実施形態における恋愛相性度の診断処理において、評価指標として用いる要素を変更してもよい。例えば、診断対象者の氏名の総画数や、診断対象者の性別情報を要素として追加してもよい。性別情報を要素として追加する場合、異性間における恋愛相性度を評価することが可能となる。
【００７５】
・第１の実施形態で説明した風水恋愛診断において、相性診断する二名ずつのペアにおいて一方から他方（例えばＡさん→Ｂさん）を見た相性合計点と、その他方から一方（例えばＢさん→Ａさん）を見た相性合計点とをそのまま各々「相性評価点」とし、その相性評価点により恋愛診断を行う構成としてもよい。例えばＡさん＆Ｂさんの関係で言えば、Ａさんから見たＢさんの相性合計点は、Ａさんが相手側のＢさんから与えられる運気の点数であり、Ｂさんから見たＡさんの相性合計点は、Ｂさんが相手側のＡさんから与えられる運気の点数であることから、運気に関する相互関係を絡めて各ペアの恋愛診断を実施してもよい。この場合、例えば、相手側に対する熱中度を診断することとし、相手側から与えられる運気が大きいほど、「熱中度」が高いと診断するとよい。
【００７６】
・恋愛相手としての相性診断と、結婚相手としての相性診断とを各々実施する構成でもよい。この場合、恋愛相手としての相性診断と結婚相手としての相性診断とで、相性診断に用いる風水の要素を変更したり、要素ごとの重み付けを変更したりするとよい。
【００７７】
・今日、今月、今年などにおける恋愛運勢ランキングを決定し表示するものであってもよい。
【００７８】
・恋愛相性度の診断として、各自の携帯電話機１０で自分からみた他人との相性を知るべく、自分対他の人との恋愛診断を行う構成としてもよい（一人称の恋愛診断）。この場合、風水学に基づいて、自分にとっての理想の恋愛相手を検索できる。かかる構成では、他人の携帯電話機１０の結果を見せてもらうことによって、色々な診断結果を知ることができるようになる。
【００７９】
・第２の実施形態では、ビジネスパートナー相性度を診断する場合に、相性診断する二名ずつの組み合わせにおいて一方から他方（例えばＡさん→Ｂさん）を見た相性合計点と、その他方から一方（例えばＢさん→Ａさん）を見た相性合計点とをそのまま「相性評価点」として、二人のうちどちらが上司に向いており、どちらが部下に向いているかを判断するものとしたが、これを変更してもよい。ビジネスパートナー相性度を診断する場合において、各ペアにおいて一方から他方（例えばＡさん→Ｂさん）を見た相性合計点と、その他方から一方（例えばＢさん→Ａさん）を見た相性合計点とを加算して「相性評価点」を算出し、その相性評価点によりビジネスパートナーランキングを決定する構成であってもよい。
【００８０】
・今日、今月、今年などにおける仕事運ランキングを決定し表示するものであってもよい。
【００８１】
・携帯端末として、携帯電話機１０以外のものを用いてもよい。つまり、携帯端末として、必ずしも通話機能や電子メール機能を有していなくてもよく、少なくともＷｅｂサーバ４０へのアクセスを可能とする通信機能を有しているものであればよい。
【符号の説明】
【００８２】
１０…携帯電話機、１１…ＣＰＵ、１４…入力部（情報入力手段）、１５…表示部（表示手段）、２０…携帯電話通信網、３０…インターネット、４０…Ｗｅｂサーバ、４１…ＣＰＵ（情報登録手段、風水評価手段、整列処理手段、表示制御手段）、４２…記憶部（点数記憶手段、優先順位記憶手段）。
【図１】
2011115282.tif 000003
【図２】
2011115282.tif 000004
【図３】
2011115282.tif 000005
【図４】
2011115282.tif 000006
【図５】
2011115282.tif 000007
【図６】
2011115282.tif 000008
【図７】
2011115282.tif 000009